(57)【特許請求の範囲】
【請求項１】
高圧巻線の線路端がスタック方向に対して中央に配置され、かつ前記高圧巻線の内径側に接地電極が配設された静止誘導機器において、前記高圧巻線の線路端を中心として全スタック長の１０から３０％までの範囲のセクションに、内径側絶縁補強用のスペーサを取り付けて構成したものであり、前記スペーサは、前記セクション間に配設されたキースペーサに、このキースペーサの周方向の幅よりも幅広に構成されたコ字型スペーサを取り付けて構成したことを特徴とする静止誘導機器。
【請求項２】
高圧巻線の線路端がスタック方向の端部に配置され、かつ前記高圧巻線の内径側に接地電極が配設された静止誘導機器において、前記高圧巻線の線路端から全スタック長の１０から３０％までの範囲のセクションに、内径側絶縁補強用のスペーサを取り付けて構成したものであり、前記スペーサは、前記セクション間に配設されたキースペーサに、このキースペーサの周方向の幅よりも幅広に構成されたコ字型スペーサを取り付けて構成したことを特徴とする静止誘導機器。
【発明の詳細な説明】
【０００１】
【発明の属する技術分野】
本発明は、電力用変圧器やリアクトルなどの静止誘導機器に係り、特に絶縁性能と価格とのバランスが最適となるようにした静止誘導機器に関する。
【０００２】
【従来の技術】
従来から電力用変圧器やリアクトルなどの静止誘導機器においては、絶縁性能の向上，小型化および低価格化の三者を満足することが困難であるという大きな課題を抱えている。一般に、絶縁性能を向上させるには、高圧巻線と対向する低圧巻線または鉄心などの接地電極面までの絶縁寸法を拡大する手段や、高圧巻線の一部分にＵ型スペーサを介挿したり絶縁紙を巻き足しする手段などがある。
【０００３】
【発明が解決しようとする課題】
しかしながら、上記のように絶縁寸法を拡大する手段では、絶縁性能が向上する反面、静止誘導機器の大型化や使用する材料の増加を招き、価格の上昇につながる問題がある。また、巻線の一部分にＵ型スペーサや絶縁紙の巻き足しをする手段でも、絶縁性能が向上する反面、巻線にＵ型スペーサや絶縁紙を取り付ける作業に多くの時間がかかるため、やはり価格の上昇につながる問題がある。
【０００４】
そのため、従来より巻線の一部分にＵ型スペーサや絶縁紙の巻き足しをする手段では、価格の上昇を抑えるため、高圧巻線の線路端から数セクションに取り付けるのが通常であった。
【０００５】
以上のように、従来の電力用変圧器やリアクトルなどの静止誘導機器においては、絶縁性能の向上と低価格化という双方を満足することが極めて困難であるという問題があった。
【０００６】
本発明は上述した事情を考慮してなされたもので、絶縁性能の向上と低価格化の双方が最もバランスがとれた構成の静止誘導機器を提供することを目的とする。
【０００７】
【課題を解決するための手段】
本発明者は上記目的を達成するため、高圧巻線の線路端から、または線路端を中心としてスペーサや絶縁紙を種々の範囲のセクションに取り付けて絶縁性能と価格とのバランスが最適となる範囲を比較検討した結果、全スタック長の１０から３０％までの範囲に設定した場合、絶縁性能と価格とのバランスが最適になるという知見を得た。
【０００８】
すなわち、高圧巻線の線路端がスタック方向に対して中央に配置され、かつ前記高圧巻線の内径側に接地電極が配設された静止誘導機器において、前記高圧巻線の線路端を中心として全スタック長の１０から３０％までの範囲のセクションに、内径側絶縁補強用のスペーサを取り付けて構成したものであり、前記スペーサは、前記セクション間に配設されたキースペーサに、このキースペーサの周方向の幅よりも幅広に構成されたコ字型スペーサを取り付けて構成したことを特徴とする。
【０００９】
請求項２記載の発明は、高圧巻線の線路端がスタック方向の端部に配置され、かつ前記高圧巻線の内径側に接地電極が配設された静止誘導機器において、前記高圧巻線の線路端から全スタック長の１０から３０％までの範囲のセクションに、内径側絶縁補強用のスペーサを取り付けて構成したものであり、前記スペーサは、前記セクション間に配設されたキースペーサに、このキースペーサの周方向の幅よりも幅広に構成されたコ字型スペーサを取り付けて構成したことを特徴とする。
【００１０】
本発明の変形例として、高圧巻線の線路端がスタック方向に対して中央に配置され、かつ前記高圧巻線の外径側に接地電極が配設された静止誘導機器において、前記高圧巻線の線路端を中心として全スタック長の１０から３０％までの範囲のセクションに、外径側絶縁補強用の絶縁紙を取り付けて構成することもできる。
【００１１】
また、本発明の他の変形例として、高圧巻線の線路端がスタック方向の端部に配置され、かつ前記高圧巻線の外径側に接地電極が配設された静止誘導機器において、前記高圧巻線の線路端から全スタック長の１０から３０％までの範囲のセクションに、外径側絶縁補強用の絶縁紙を取り付けて構成することもできる。
【００１２】
以上のように本発明に係る静止誘導機器では、高圧巻線の線路端から、または線路端を中心として全スタック長の１０から３０％までの範囲のセクションに、内径側絶縁補強用のスペーサや外径側絶縁補強用の絶縁紙を取り付けたことにより、絶縁性能の向上を図ったことによる高圧巻線と低圧巻線，鉄心またはタンクなどの接地電極との絶縁寸法の縮小で使用材料の減少による価格低下と、セクションに取り付ける絶縁補強による作業時間増加による価格上昇とが等しくなる。
【００１３】
これは一般に、電力用変圧器やリアクトルなどの静止誘導機器の超高圧用以上の巻線において該当するものである。スペーサと絶縁紙巻き足しによる絶縁性能の向上率は１０から３０％で、また線路端から全スタック長の１０から３０％離れた位置は、発生電圧がほぼ７０から９０％に低下しているので、絶縁性能の向上率と等しくなる。
【００１４】
この場合、全スタック長の１０から３０％までの範囲を逸脱すると、絶縁性能と価格とのバランスが崩れ、絶縁性能が低下したり、価格が上昇することになる。
【００１５】
【発明の実施の形態】
以下、本発明の実施形態を図面に基づいて説明する。
【００１６】
［第１実施形態］
図１は本発明に係る静止誘導機器の第１実施形態を示す断面構成図、図２（Ａ），（Ｂ）は図１のコ字形スペーサを示す拡大構成図，拡大側面図である。
【００１７】
図１に示すように、静止誘導機器は高圧巻線１を有し、この高圧巻線１は、全スタックの１０から３０％までの範囲のセクション２に、内径側絶縁補強用のコ字形スペーサ３が複数取り付けられている。また、高圧巻線１の線路端４は、スタック中央に配置され、接地電極としての低圧巻線５は、高圧巻線１の内径側に配設されている。
【００１８】
さらに、コ字形スペーサ３は、図２（Ａ），（Ｂ）に示すように複数のセクション２間に配設されたキースペーサ６に対して幅広に取り付けられている。これは、コ字形スペーサ３によって絶縁性能を一段と向上させるためである。そして、このコ字形スペーサ３は、キースペーサ６に貼着され、このキースペーサ６はレール７に固定され、さらにレール７の内側には絶縁筒８が配設されている。
【００１９】
次に、本実施形態の作用を説明する。
【００２０】
本実施形態では、高圧巻線１の線路端４を中心として全スタック長の１０から３０％までの範囲のセクション２に、内径側絶縁補強用のコ字形スペーサ３を取り付けたことにより、絶縁性能の向上を図ったことによる高圧巻線１と低圧巻線５，鉄心またはタンクなどの接地電極との絶縁寸法縮小で使用材料の減少による価格低下と、セクション２にコ字形スペーサ３を取り付ける絶縁補強による作業時間増加による価格上昇とが等しくなる。
【００２１】
これは、一般に電力用変圧器やリアクトルなどの静止誘導機器の超高圧用以上の巻線において該当するものである。コ字形スペーサ３による絶縁性能の向上率は１０から３０％で、また線路端４を中心として全スタック長の１０から３０％までの範囲は、発生電圧がほぼ７０から９０％に低下しているので絶縁性能の向上率と等しくなる。
【００２２】
このように本実施形態によれば、高圧巻線１の線路端４を中心として全スタック長の１０から３０％までの範囲のセクション２に、内径側絶縁補強用のコ字形スペーサ３を取り付けたことにより、絶縁性能と価格とが最もバランスがとれ、絶縁性能の向上と低価格化の達成の双方を満たすことができる。
【００２３】
［第２実施形態］
図３は本発明に係る静止誘導機器の第２実施形態を示す断面構成図である。なお、前記第１実施形態と同一の部分には同一の符号を付して説明する。以下の各実施形態でも同様である。
【００２４】
図３に示すように、高圧巻線１は、線路端４から全スタックの１０から３０％までの範囲のセクション２に、内径側絶縁補強用のコ字形スペーサ３が複数取り付けられている。また、高圧巻線１の線路端４は、スタック端部に配置され、接地電極としての低圧巻線５は、高圧巻線１の内径側に配設されている。そして、コ字形スペーサ３は、前記第１実施形態と同様に構成されている。
【００２５】
以上のように本実施形態では、高圧巻線１の線路端４から全スタック長の１０から３０％までの範囲のセクション２に、内径側絶縁補強用のコ字形スペーサ３を取り付けたことにより、コ字形スペーサ３による絶縁性能の向上率は１０から３０％で、また線路端４から全スタック長の１０から３０％離れた位置は、発生電圧がほぼ７０から９０％に低下しているので、コ字形スペーサ３による絶縁性能の向上率と等しくなる。その他の作用は前記第１実施形態と同様であって、前記第１実施形態と同様の効果が得られる。
【００２６】
［第３実施形熊］
図４は本発明に係る静止誘導機器の第３実施形態を示す断面構成図、図５（Ａ），（Ｂ）は図４の絶縁紙巻き足し部を示す拡大構成図，拡大側面図である。
【００２７】
図４に示すように、高圧巻線１は、線路端４を中心として全スタックの１０から３０％までの範囲のセクション２に、外径側の絶縁補強用の絶縁紙巻き足し部９が複数取り付けられている。また、高圧巻線１の線路端４は、スタック中央に配置され、接地電極としての低圧巻線５は、高圧巻線１の外径側に配設されている。
【００２８】
さらに、絶縁紙巻き足し部９は、図５（Ａ），（Ｂ）に示すようにセクション２中の最も外側の線１本に対して巻き足されている。この絶縁紙巻き足し部９は、キースペーサ６間に配置され、このキースペーサ６はレール７に固定され、さらにレール７の内側には絶縁筒８が配設されている。
【００２９】
以上のように、全スタックの１０から３０％までの範囲のセクション２に、外径側の絶縁補強用の絶縁紙巻き足し部９を取り付けたことにより、絶縁紙巻き足し部９による絶縁性能の向上率は１０から３０％で、また線路端４を中心として全スタック長の１０から３０％までの範囲は、発生電圧がほぼ７０から９０％に低下しているので絶縁性能の向上率と等しくなる。したがって、本実施形態でも、前記第１実施形態と同様の効果が得られる。
【００３０】
［第４実施形態］
図６は本発明に係る静止誘導機器の第４実施形態を示す断面構成図である。
【００３１】
図６に示すように、高圧巻線１は、線路端４から全スタックの１０から３０％までの範囲のセクション２に、外径側絶縁補強用の絶縁紙巻き足し部９が複数取り付けられている。また、高圧巻線１の線路端４は、スタック端部に配置され、接地電極としての低圧巻線４は、高圧巻線１の外径側に配設されている。そして、絶縁紙巻き足し部９は、前記第３実施形態と同様に構成されている。
【００３２】
したがって、本実施形態では、高圧巻線１の線路端４から全スタック長の１０から３０％までの範囲のセクション２に、外径側絶縁補強用の絶縁紙巻き足し部９を複数取り付けてことにより、前記第３実施形態と同様の作用および効果が得られる。
【００３３】
なお、本発明は、上記各実施形態に限定することなく、種々の変更が可能である。例えば、上記各実施形態では、接地電極として低圧巻線５を用いて説明したが、これに限らず鉄心やタンクなどでもよい。また、上記第１，第２実施形態では、コ字形に形成されたスペーサを使用したが、その他の形状のものであってもよい。
【００３４】
【発明の効果】
以上説明したように、請求項１〜４記載の発明によれば、高圧巻線の線路端から、または線路端を中心として全スタック長の１０から３０％までの範囲のセクションに、内径側絶縁補強用のスペーサや外径側絶縁補強用の絶縁紙を取り付けたことにより、絶縁性能と価格とが最もバランスがとれ、絶縁性能の向上と低価格化の達成の双方を満たした静止誘導機器を提供することができる。
【図面の簡単な説明】
【図１】本発明に係る静止誘導機器の第１実施形態を示す断面構成図。
【図２】（Ａ），（Ｂ）は図１のコ字形スペーサを示す拡大構成図，拡大側面図。
【図３】本発明に係る静止誘導機器の第２実施形態を示す断面構成図。
【図４】本発明に係る静止誘導機器の第３実施形態を示す断面構成図。
【図５】（Ａ），（Ｂ）は図４の絶縁紙巻き足し部を示す拡大構成図，拡大側面図。
【図６】本発明に係る静止誘導機器の第４実施形態を示す断面構成図。
【符号の説明】
１  高圧巻線
２  セクション
３  コ字形スペーサ
４  線路端
５  低圧巻線（接地電極）
６  キースペーサ
７  レール
８  絶縁筒
９  絶縁紙巻き足し部
【図１】
0004034400.tif 000002
【図２】
0004034400.tif 000003
【図３】
0004034400.tif 000004
【図４】
0004034400.tif 000005
【図５】
0004034400.tif 000006
【図６】
0004034400.tif 000007